(57)【要約】【課題】  低温になった空箱を回収した際の、収納庫床面に近い位置に置かれる物品の温度低下を抑制する。【解決手段】  収納庫１２、１３の温度を調整するヒータ内蔵の冷凍機ユニット２、４を備える保冷温蔵車において、物品が載せられる床板５２の下方に、床板５２の近傍を加熱するヒータ６１、６２を設ける。ヒータ６１、６２を床板５２の下方に設けているため、収納庫床面の温度が低下した際には床板５２の近傍を速やかに適正温度に戻すことができる。【選択図】        図１
2005239044.tif 000002
【特許請求の範囲】
【請求項１】
物品を収納保管する収納庫（１２、１３）と、前記収納庫（１２、１３）の温度を調整する温度調整装置（２、４）とを備える保冷温蔵車において、
前記物品が載せられる床板（５２、９３）の下方に、前記床板（５２、９３）の近傍を加熱する加熱手段（６１、６２）が設けられていることを特徴とする保冷温蔵車。
【請求項２】
前記床板（９３）の下方には、前記収納庫（１２、１３）内の空気を循環させる空気通路（９４）が形成され、
前記床板（９３）には、前記空気通路（９４）と前記収納庫（１２、１３）の内部空間とを連通する連通部（９５）が形成され、
前記空気通路（９４）内に前記加熱手段（６１、６２）が配置されていることを特徴とする請求項１に記載の保冷温蔵車。
【発明の詳細な説明】
【技術分野】
【０００１】
本発明は、物品を保冷または保温して輸送する保冷温蔵車に関するものである。
【背景技術】
【０００２】
従来より、冷凍食品の輸送に供される冷凍車が知られている（例えば、特許文献１参照）。
【０００３】
一方、近年、コンビニ向け米飯配送用の保冷温蔵車が増加しており、その庫内温度は＋２０℃を最適温度として調整されている。その庫内温度は、冷凍機ユニットとヒータにより、高外気温時や低外気温時の温度負荷変動に対応して制御している。
【特許文献１】特開平７−２３２５８７号公報
【発明の開示】
【発明が解決しようとする課題】
【０００４】
しかしながら、コンビニ配送用の保冷温蔵車の熱負荷としては、扉を開放した時に侵入する外気のみでなく、夏場は高温、冬場は低温となる店外に放置された回収空箱が庫内の熱負荷となっている。
【０００５】
特に冬場の回収空箱は、床板からの熱伝導により、収納庫床面に近い位置に置かれる米飯品（物品）の温度を低下させるという問題が生じている。
【０００６】
また、一般的にヒータは、冷凍機ユニットとともに収納庫内の上部位置に設置されるため、収納庫床面近傍の温度が低下した際にその部位の温度を適正温度まで速やかに戻すことが困難である。
【０００７】
本発明は上記点に鑑みて、低温になった空箱を回収した際の、収納庫床面に近い位置に置かれる物品の温度低下を抑制することを目的とする。
【課題を解決するための手段】
【０００８】
上記目的を達成するため、請求項１に記載の発明では、物品を収納保管する収納庫（１２、１３）と、収納庫（１２、１３）の温度を調整する温度調整装置（２、４）とを備える保冷温蔵車において、物品が載せられる床板（５２、９３）の下方に、床板（５２、９３）の近傍を加熱する加熱手段（６１、６２）が設けられていることを特徴とする。
【０００９】
これによると、加熱手段を床板の下方に設けているため、収納庫床面の温度が低下した際には床板の近傍を速やかに適正温度に戻すことができ、したがって収納庫床面に近い位置に置かれる米飯品等の物品の温度低下を抑制することができる。
【００１０】
請求項２に記載の発明では、床板（５２、９３）の下方には、収納庫（１２、１３）内の空気を循環させる空気通路（９４）が形成され、床板（５２、９３）には、空気通路（９４）と収納庫（１２、１３）の内部空間とを連通する連通部（９５）が形成され、空気通路（９４）内に加熱手段（６１、６２）が配置されていることを特徴とする。
【００１１】
これによると、加熱手段によって加熱された空気により、収納庫床面に近い位置に置かれる米飯品等の物品を速やかに加熱することができる。
【００１２】
なお、上記各手段の括弧内の符号は、後述する実施形態に記載の具体的手段との対応関係を示すものである。
【発明を実施するための最良の形態】
【００１３】
（第１実施形態）
本発明の第１実施形態について説明する。図１は第１実施形態に係る保冷温蔵車の斜視図、図２は図１の保冷温蔵車におけるヒータ温水回路を示す図、図３は図１の保冷温蔵車における収納庫の床板近傍の断面図である。
【００１４】
図１に示すように、保冷温蔵車１は、その運転室１１の車両後方部に、物品を収納保管する２つの収納庫１２、１３が設けられている。収納庫１２、１３は、仕切り壁１４によって分離されている。
【００１５】
車両前方側の第１収納庫１２の側面側には、第１収納庫１２内への荷物の搬入、搬出のための開口部を開閉する開閉ドア１５が設けられている。車両後方側の第２収納庫１３の最後部には、第２収納庫１３内への荷物の搬入、搬出のための開口部を開閉する２つの開閉ドア１６、１７が設けられている。
【００１６】
第１収納庫１２内の車両前方側（本例では最前部）の天井部に、第１収納庫１２の温度を調整する第１冷凍機ユニット２が配置されている。この第１冷凍機ユニット２は、電動式の送風ファンと、この送風ファンの送風空気を冷却する蒸発器を備えている。因みに、蒸発器は、冷媒圧縮機等とともに周知の冷凍サイクル装置を構成するもので、送風空気と冷媒との熱交換により送風空気を冷却するものである。また、この第１冷凍機ユニット２は、車両のエンジン３（図２参照）を冷却する冷却水を熱源とする温水式の第１ユニット部ヒータ２１（図２参照）が内蔵されている。さらに、この第１冷凍機ユニット２は、第１冷凍機ユニット２に吸い込まれる空気の温度（すなわち第１収納庫１２の温度）を検出する第１庫内温度センサ２２が内蔵されている。
【００１７】
第２収納庫１３内の車両後方側（本例では最後部）の天井部に、第２収納庫１３の温度を調整する第２冷凍機ユニット４が配置されている。この第２冷凍機ユニット４は、第１冷凍機ユニット２と同一構成であり、第２ユニット部ヒータ４１（図２参照）および第２庫内温度センサ４２が内蔵されている。
【００１８】
なお、第１冷凍機ユニット２および第２冷凍機ユニット４は、本発明の温度調整装置に相当する。
【００１９】
図３に示すように、収納庫１２、１３の床部には、ベニヤ板または発泡板材等の断熱性に富む材料よりなる断熱板５１が敷かれ、その上に、ステンレスまたはアルミニウム等の耐食性に富む材料よりなる上側床板５２と下側床板５３が敷かれている。そして、上側床板５２に物品が載せられるようになっている。したがって、上側床板５２は本発明の床板に相当する。
【００２０】
２枚の床板５２、５３間には隙間が形成されており、その隙間に床部ヒータ６１、６２が配置されている。より詳細には、第１収納庫１２の床に第１床部ヒータ６１が配置され、第２収納庫１３の床に第２床部ヒータ６２が配置されている。これらの床部ヒータ６１、６２は、２枚の床板５２、５３に接触しており、上側床板５２の近傍を加熱して収納庫１２、１３の床面温度を調整するものであり、本発明の加熱手段に相当する。
【００２１】
次に、図２にて保冷温蔵車１におけるヒータ温水回路について説明する。
【００２２】
まず、エンジン３の冷却水は、エンジン用ウォータポンプ３１によってラジエータ３２に循環され、適宜温度に調整される。なお、冷却水温度が低い場合には、サーモスタット３３によりラジエータ３２への循環が阻止される。
【００２３】
ユニット部ヒータ２１、４１、床部ヒータ６１、６２、および運転室１１内の空調に用いられる運転室ヒータ７には、電動式のヒータ用ウォータポンプ８１によってエンジン３の冷却水（温水）が循環されるようになっている。
【００２４】
第１ユニット部ヒータ２１および第１床部ヒータ６１とヒータ用ウォータポンプ８１とを結ぶ温水回路には、その回路を開閉する電動式の第１開閉弁８２が設けられ、第２ユニット部ヒータ４１および第２床部ヒータ６２とヒータ用ウォータポンプ８１とを結ぶ温水回路には、その回路を開閉する電動式の第２開閉弁８３が設けられている。
【００２５】
次に、作動を説明する。なお、第１収納庫１２の温度調整作動と第２収納庫１３の温度調整作動は同じであるため、ここでは第１収納庫１２の温度調整作動についてのみ説明する。
【００２６】
外気温度が高い夏場等においては、まず、エンジン３により冷媒圧縮機を駆動して冷凍サイクルを稼働させ、第１冷凍機ユニット２により第１収納庫１２内の空気を冷却して、第１収納庫１２の庫内温度を低下させる。そして、第１収納庫１２の庫内温度が設定温度（例えば、＋２０℃）以下まで低下すると、第１冷凍機ユニット２による冷却を停止する。第１収納庫１２の庫内温度が設定温度（例えば、＋２０℃）を超えると、第１冷凍機ユニット２による冷却を再び開始する。
【００２７】
一方、外気温度が低い冬場等においては、ヒータ用ウォータポンプ８１を作動させるとともに第１開閉弁８２を開弁させて、第１ユニット部ヒータ２１および第１床部ヒータ６１にエンジン３の冷却水を循環させる。これにより、第１ユニット部ヒータ２１および第１床部ヒータ６１が第１収納庫１２内の空気を加熱して、第１収納庫１２の庫内温度を上昇させる。そして、第１収納庫１２の庫内温度が設定温度を超えると、第１ユニット部ヒータ２１および第１床部ヒータ６１による加熱を停止する。第１収納庫１２の庫内温度が設定温度以下になると、第１ユニット部ヒータ２１および第１床部ヒータ６１による加熱を再び開始する。
【００２８】
ところで、外気温度が低い時に屋外に放置され低温となった空箱を回収した場合、庫内温度が低下し、特に、空箱が載せられた上側床板５２の温度が低下しやすくなる。しかしながら、本実施形態では、第１床部ヒータ６１により上側床板５２およびその近傍を加熱して、収納庫１２の床面温度を速やかに適正温度に戻すことができ、したがって収納庫１２の床面に近い位置に置かれる米飯品等の物品の温度低下を抑制することができる。
【００２９】
（第２実施形態）
本発明の第２実施形態について説明する。図４は第２実施形態に係る保冷温蔵車におけるヒータ温水回路を示す図である。第１実施形態と同一もしくは均等部分には同一の符号を付し、その説明を省略する。
【００３０】
本実施形態は、上側床板５２の上面に、その部位の空気の温度（すなわち上側床板５２近傍の温度）を検出する床部温度センサを設け、庫内全体の中で上側床板５２近傍の温度のみが低下した際には、ユニット部ヒータ２１、４１および床部ヒータ６１、６２のうち床部ヒータ６１、６２のみを作動可能にしたものである。
【００３１】
すなわち、図４に示すように、第１ユニット部ヒータ２１とヒータ用ウォータポンプ８１とを結ぶ温水回路には、その回路を開閉する電動式の第１主開閉弁８２ａが設けられ、第１床部ヒータ６１とヒータ用ウォータポンプ８１とを結ぶ温水回路には、その回路を開閉する電動式の第１副開閉弁８２ｂが設けられ、これに伴って、第１開閉弁８２（図２参照）が廃止されている。
【００３２】
同様に、第２ユニット部ヒータ４１とヒータ用ウォータポンプ８１とを結ぶ温水回路には、その回路を開閉する電動式の第２主開閉弁８３ａが設けられ、第２床部ヒータ６２とヒータ用ウォータポンプ８１とを結ぶ温水回路には、その回路を開閉する電動式の第２副開閉弁８３ｂが設けられ、これに伴って、第２開閉弁８３（図２参照）が廃止されている。
【００３３】
これによると、外気温度が低い時に屋外に放置され低温となった空箱を回収し、上側床板５２にその空箱を載せて、例えば第１収納庫１２の中で上側床板５２近傍の温度のみが低下した際には、ヒータ用ウォータポンプ８１を作動させるとともに第１副開閉弁８２ｂを開弁させて、第１床部ヒータ６１にエンジン３の冷却水を循環させる。これにより、第１床部ヒータ６１により上側床板５２およびその近傍を加熱して、収納庫１２の床面温度を速やかに適正温度に戻すことができ、したがって収納庫１２の床面に近い位置に置かれる米飯品等の物品の温度低下を抑制することができる。
【００３４】
なお、第２収納庫１３の中で上側床板５２近傍の温度のみが低下した際には、ヒータ用ウォータポンプ８１を作動させるとともに第２副開閉弁８３ｂを開弁させて、第２床部ヒータ６２にエンジン３の冷却水を循環させる。
【００３５】
（第３実施形態）
本発明の第３実施形態について説明する。図５は第３実施形態に係る保冷温蔵車における収納庫の床板近傍の斜視図である。第１実施形態と同一もしくは均等部分には同一の符号を付し、その説明を省略する。
【００３６】
図５に示すように、第１実施形態における２枚の床板５２、５３（図３参照）に代えて、一体化された床板部材９を用いている。
【００３７】
この床板部材９は、アルミニウム製であり、断熱板５１に接触する平板状の１枚のベース部９１、ベース部９１から上方に向かって延びる板状の多数の脚部９２、脚部９２の上端に位置して水平方向に延びる板状の多数の床板部９３を備えている。そして、床板部９３に物品が載せられるようになっている。したがって、床板部９３は本発明の床板に相当する。
【００３８】
床板部材９内で、且つ床板部９３の下方には、収納庫１２、１３内の空気を循環させる空気通路９４が形成され、この空気通路９４内に床部ヒータ６１、６２が配置されている。また、隣接する床板部９３間の隙間９５により、空気通路９４と収納庫１２、１３の内部空間とが連通されている。なお、隙間９５は本発明の連通部に相当する。
【００３９】
これによると、空気通路９４内で床部ヒータ６１、６２により加熱された空気は、矢印で示すように隙間９５を介して収納庫１２、１３の内部空間に移動することができる。したがって、第１実施形態のように上側床板５２を介して、収納庫床面に近い物品を加熱する場合よりも、収納庫床面に近い位置に置かれる物品をより速やかに加熱することができる。
【００４０】
（他の実施形態）
上記各実施形態では、床板の近傍を加熱する加熱手段として温水式のヒータを示したが、排気ガスの浄化を行う触媒の熱を利用したヒータ、あるいは電気ヒータを、加熱手段として用いてもよい。
【図面の簡単な説明】
【００４１】
【図１】本発明の第１実施形態に係る保冷温蔵車の斜視図である。
【図２】図１の保冷温蔵車におけるヒータ温水回路を示す図である。
【図３】図１の保冷温蔵車における収納庫の床板近傍の断面図である。
【図４】本発明の第２実施形態に係る保冷温蔵車のヒータ温水回路を示す図である。
【図５】本発明の第３実施形態に係る保冷温蔵車における収納庫の床板近傍の斜視図である。
【符号の説明】
【００４２】
２、４…冷凍機ユニット（温度調整装置）、１２、１３…収納庫、５２…上側床板（床板）、６１、６２…床部ヒータ（加熱手段）、９３…床板部（床板）。
【図１】
2005239044.tif 000003
【図２】
2005239044.tif 000004
【図３】
2005239044.tif 000005
【図４】
2005239044.tif 000006
【図５】
2005239044.tif 000007